【手続補正書】
【提出日】平成16年8月30日(2004.8.30)
【手続補正１】
【補正対象書類名】明細書
【補正対象項目名】特許請求の範囲
【補正方法】変更
【補正の内容】
【特許請求の範囲】
【請求項１】
ネットワークを通じてサーバ装置と電子機器端末とが接続されるネットワークシステムにおいて、
前記電子機器端末は、
前記サーバ装置に対して、コンテンツを要求するコマンドを、前記ネットワークを通じて送信する端末送信手段と、
前記サーバ装置から前記ネットワークを通じて送られてくる前記コンテンツのデジタルデータを再生する再生手段と、
を備え、
前記サーバ装置は、
前記電子機器端末からの前記コマンドを受信したときに、前記要求されたコンテンツのデジタルデータを前記電子機器端末に前記ネットワークを通じて送信するサーバ送信手段を備える
ことを特徴とするネットワークシステム。
【請求項２】
請求項１に記載のネットワークシステムにおいて、
前記サーバ装置は、コンテンツのデジタルデータを格納する記憶手段を備え、
前記電子機器端末からの前記コマンドに応じて、前記要求されたコンテンツのデジタルデータを上記記憶手段より読み出して、前記電子機器端末に送信する
ことを特徴とするネットワークシステム。
【請求項３】
請求項２に記載のネットワークシステムにおいて、
前記サーバ装置は、圧縮デジタルデータをデコードして前記デジタルデータを生成するデコード手段を備え、
前記記憶手段に格納される圧縮デジタルデータを、前記デコード手段でデコードし、生成されたデジタルデータを前記電子機器端末に送信する
ことを特徴とするネットワークシステム。
【請求項４】
請求項１に記載のネットワークシステムにおいて、
前記サーバ装置は、
前記電子機器端末からの前記コマンドに応じて、前記ネットワークを通じて前記コンテンツのデジタルデータを取得するデータ受信手段を備え、
前記サーバ送信手段は、この取得したデジタルデータを前記電子機器端末に前記ネットワークを通じて送信する
ことを特徴とするネットワークシステム。
【請求項５】
請求項４に記載のネットワークシステムにおいて、
前記サーバ装置は、圧縮デジタルデータをデコードして前記デジタルデータを生成するデコード手段を備え、
前記ネットワークを通じて取得した圧縮デジタルデータを、前記デコード手段でデコードし、生成されたデジタルデータを前記電子機器端末に送信する
ことを特徴とするネットワークシステム。
【請求項６】
請求項１に記載のネットワークシステムにおいて、
前記電子機器端末は、マイクロホンを備え、前記サーバ装置に送るコマンドは、前記マイクロホンで収音されたユーザ音声のデジタルデータで構成されると共に、
前記サーバ装置は、前記ネットワークを通じて受信した前記ユーザ音声のデジタルデータを音声認識する音声認識手段を備え、この音声認識結果により、前記コマンドを判別する
ことを特徴とするネットワークシステム。
【請求項７】
請求項１に記載のネットワークシステムにおいて、
前記サーバ装置は、前記コンテンツに関する付加情報を前記電子機器端末に送信する手段を備え、
前記電子機器端末は、前記コンテンツに関する付加情報を受信して、ユーザに提供する出力手段と、
を備えることを特徴とするネットワークシステム。
【請求項８】
請求項１に記載のネットワークシステムにおいて、
前記電子機器端末は、放送電波を受信して放送コンテンツを取り出す受信手段を備え、前記受信手段による受信機能が前記電子機器端末で選択されているときには、前記ネットワークを通じたコマンドの送出およびデータの受信のための回路部を電源オフまたはスタンバイ状態にする
ことを特徴とするネットワークシステム。
【請求項９】
請求項１に記載のネットワークシステムにおいて、
前記電子機器端末から前記サーバ装置に送られるコマンドは、前記サーバ装置を識別するサーバ識別情報と、コンテンツを特定するためのコンテンツ識別情報とからなる
ことを特徴とするネットワークシステム。
【請求項１０】
サーバ装置に対して、ネットワークを通じて接続される電子機器端末であって、
前記サーバ装置に対して、コンテンツを要求するコマンドを、前記ネットワークを通じて送信する端末送信手段と、
前記サーバ装置から前記ネットワークを通じて送られてくる前記コンテンツのデジタルデータを再生する再生手段と
を備えることを特徴とする電子機器端末。
【請求項１１】
請求項１０に記載の電子機器端末において、
マイクロホンを備え、前記サーバ装置に送るコマンドは、前記マイクロホンで収音されたユーザ音声のデジタルデータとされる
ことを特徴とする電子機器端末。
【請求項１２】
請求項１０に記載の電子機器端末において、
放送電波を受信して放送コンテンツを取り出す受信手段を備え、
前記受信手段による受信機能が当該電子機器端末で選択されているときには、前記ネットワークを通じたコマンドの送出およびデータの受信のための回路部を電源オフまたはスタンバイ状態にする
ことを特徴とする電子機器端末。
【請求項１３】
ネットワークを通じて電子機器端末と接続されるサーバ装置であって、
前記電子機器端末からのコンテンツを要求するコマンドを受信したときに、前記コンテンツのデジタルデータを前記電子機器端末に前記ネットワークを通じて送信するサーバ送信手段と、
を備えることを特徴とするサーバ装置。
【請求項１４】
請求項１３に記載のサーバ装置において、
コンテンツのデジタルデータを格納する記憶手段を備え、
前記電子機器端末からの前記コマンドに応じて、前記要求されたコンテンツのデジタルデータを上記記憶手段より読み出して、前記電子機器端末に送信することを特徴とするサーバ装置。
【請求項１５】
請求項１４に記載のサーバ装置において、
圧縮デジタルデータをデコードして前記デジタルデータを生成するデコード手段を備え、
前記記憶手段に格納される圧縮デジタルデータを、前記デコード手段でデコードし、生成されたデジタルデータを前記電子機器端末に送信することを特徴とするサーバ装置。
【請求項１６】
請求項１３に記載のサーバ装置において、
前記電子機器端末からの前記コマンドに応じて、前記ネットワークを通じて前記コンテンツのデジタルデータを取得するデータ受信手段を備え、
この取得したデジタルデータを前記電子機器端末に前記ネットワークを通じて送信することを特徴とするサーバ装置。
【請求項１７】
請求項１６に記載のサーバ装置において、
圧縮デジタルデータをデコードして前記デジタルデータを生成するデコード手段を備え、
前記ネットワークを通じて取得した圧縮デジタルデータを、前記デコード手段でデコードし、生成されたデジタルデータを前記電子機器端末に送信する
ことを特徴とするサーバ装置。
【請求項１８】
請求項１３に記載のサーバ装置において、
前記電子機器端末からのコマンドは、前記電子機器端末より送信されたユーザ音声のデジタルデータで構成されるものであって、
前記ユーザ音声のデジタルデータを音声認識する音声認識手段を備え、この音声認識結果により、前記コマンドを判別する
ことを特徴とするサーバ装置。
【請求項１９】
請求項１３に記載のサーバ装置において、
前記コンテンツに関する付加情報を、前記コンテンツのデジタルデータとともに前記電子機器端末に送信する
ことを特徴とするサーバ装置。
【請求項２０】
サーバ装置に対して、ネットワークを通じて電子機器端末から、コンテンツを要求するコマンドを送信する工程と、
前記電子機器端末からの前記コマンドを受信したときに、前記コンテンツの圧縮データをデコードして、前記コンテンツのデジタルデータを生成するデコード工程と、
前記サーバ装置が、前記デコード工程でデコードされて得られた前記コンテンツのデジタルデータを前記電子機器端末に前記ネットワークを通じて送信する工程と、
前記コンテンツのデジタルデータを受信した前記電子機器端末が、前記コンテンツのデジタルデータを再生する工程と、
とからなるコンテンツの配信再生方法。
【請求項２１】
請求項２０に記載のコンテンツの配信再生方法において、
前記コンテンツの圧縮データを、前記ネットワークを通じて取得する工程をさらに備え、
この取得された前記コンテンツの圧縮データは、前記デコード工程においてデコードされ、前記コンテンツのデジタルデータが生成されることを特徴とするコンテンツの配信再生方法。
【手続補正２】
【補正対象書類名】明細書
【補正対象項目名】００１６
【補正方法】変更
【補正の内容】
【００１６】
【課題を解決するための手段】
前記課題を解決するため、請求項１の発明によるネットワークシステムは、
ネットワークを通じてサーバ装置と電子機器端末とが接続されるネットワークシステムにおいて、
前記電子機器端末は、
前記サーバ装置に対して、コンテンツを要求するコマンドを、前記ネットワークを通じて送信する手段と、
前記サーバ装置から前記ネットワークを通じて送られてくる前記コンテンツのデジタルデータを再生する再生手段と、
を備え、
前記サーバ装置は、
前記電子機器端末からの前記コマンドを受信したときに、前記要求されたコンテンツのデジタルデータを前記電子機器端末に前記ネットワークを通じて送信するサーバ送信手段を備える
ことを特徴とする。
【手続補正３】
【補正対象書類名】明細書
【補正対象項目名】００１７
【補正方法】変更
【補正の内容】
【００１７】
また、請求項４の発明は、請求項１に記載のネットワークシステムにおいて、
前記サーバ装置は、
前記電子機器端末からの前記コマンドに応じて、前記ネットワークを通じて前記コンテンツのデジタルデータを取得するデータ受信手段を備え、
前記サーバ送信手段は、この取得したデジタルデータを前記電子機器端末に前記ネットワークを通じて送信する
ことを特徴とする。
【手続補正４】
【補正対象書類名】明細書
【補正対象項目名】００１８
【補正方法】変更
【補正の内容】
【００１８】
上述の構成の請求項１または請求項４の発明によれば、電子機器端末は、コンテンツを要求するコマンド、特に請求項４の発明の場合には、例えばインターネットを通じて取得されるコンテンツを要求するコマンドを、ネットワークを通じてサーバ装置に送信する。
【手続補正５】
【補正対象書類名】明細書
【補正対象項目名】００１９
【補正方法】変更
【補正の内容】
【００１９】
このコマンドを受け取ったサーバ装置は、請求項４の発明の場合には、当該コマンドに応じてインターネットへアクセスし、要求されたコンテンツをインターネットから取得する。そして、請求項１または請求項４の発明においては、取得したコンテンツのデータをデコードし、デコード結果のデジタルデータをネットワークを通じて電子機器端末に送る。
【手続補正６】
【補正対象書類名】明細書
【補正対象項目名】００２０
【補正方法】変更
【補正の内容】
【００２０】
電子機器端末は、サーバ装置からネットワークを通じて送られてくるコンテンツのデコード結果のデジタルデータを受信して、当該デジタルデータに基づいて音響再生および／または画像表示をする。
【手続補正７】
【補正対象書類名】明細書
【補正対象項目名】００２１
【補正方法】変更
【補正の内容】
【００２１】
したがって、例えば、インターネットラジオシステムの機能を実現するための、インターネットとの通信機能の回路、Ｗｅｂの解読機能、高速のＣＰＵ、大容量のＲＯＭ、ＲＡＭなど、コスト高となる構成部分は、サーバ装置が備え、電子機器端末は、ネットワークに接続するための機能と、サーバ装置へのコマンド要求機能と、デコード結果のデジタルデータから再生音声および／または再生画像を得るための音響再生手段および／または画像表示手段を備えればよいので、電子機器端末は安価に構成できる。
【手続補正８】
【補正対象書類名】明細書
【補正対象項目名】００２２
【補正方法】変更
【補正の内容】
【００２２】
そこで、例えば電話回線に接続されるモジュラージャックがある部屋にサーバ装置を設置するとともに、各部屋にネットワークに接続するためのネットワーク接続部を設けて、ホームネットワークシステムを構築し、各部屋のネットワーク接続部に電子機器端末を接続するようにすることにより、安価なホームネットワークシステムを実現することが可能になる。
【手続補正９】
【補正対象書類名】明細書
【補正対象項目名】００２３
【補正方法】変更
【補正の内容】
【００２３】
また、請求項６の発明は、請求項１に記載のネットワークシステムにおいて、
前記電子機器端末は、マイクロホンを備え、前記サーバ装置に送るコマンドは、前記マイクロホンで収音されたユーザ音声のデジタルデータで構成されると共に、
前記サーバ装置は、前記ネットワークを通じて受信した前記ユーザ音声のデジタルデータを音声認識する音声認識手段を備え、この音声認識結果により、前記コマンドを判別する
ことを特徴とする。
【手続補正１０】
【補正対象書類名】明細書
【補正対象項目名】００２４
【補正方法】変更
【補正の内容】
【００２４】
上述の構成の請求項６の発明によれば、電子機器端末のユーザは、マイクロホンを通じてサーバ装置に送るコマンドを発音して音声入力する。電子機器端末は、この音声によるコマンドをデジタルデータとして、サーバ装置に送る。
【手続補正１１】
【補正対象書類名】明細書
【補正対象項目名】００２５
【補正方法】変更
【補正の内容】
【００２５】
サーバ装置は、音声認識手段を用いて、この音声データについて音声認識を行い、入力されたコマンドを判別し、当該コマンドにより要求されるコンテンツを例えばインターネットから取得し、デコードして、そのデコード結果を電子機器端末に送信するようにする。
【手続補正１２】
【補正対象書類名】明細書
【補正対象項目名】００２６
【補正方法】変更
【補正の内容】
【００２６】
この請求項６の発明によれば、ユーザは、電子機器端末の操作部を通じてコマンドの入力操作をする必要がなくなり、非常に便利である。
【手続補正１３】
【補正対象書類名】明細書
【補正対象項目名】００３９
【補正方法】変更
【補正の内容】
【００３９】
ＰＣサーバ１と、電子機器端末２Ａ，２Ｂ，２Ｃのそれぞれとの間の通信は、この実施形態では、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）で、ＨＴＴＰ（ＨｙｐｅｒＴｅｘｔ  Ｔｒａｎｓｆｅｒ  Ｐｒｏｔｏｃｏｌ）を用いてデータ転送を行なう。なお、ＵＤＰ（Ｕｓｅｒ  Ｄａｔａｇｒａｍ  Ｐｒｏｔｏｃｏｌ）を用いてデータ転送を行なうようにしてもよいが、この実施形態では、確実性のために、ＴＣＰ／ＩＰを用いるものである。
【手続補正１４】
【補正対象書類名】明細書
【補正対象項目名】００４０
【補正方法】変更
【補正の内容】
【００４０】
ＰＣサーバ１および電子機器端末２Ａ，２Ｂ，２Ｃは、ＭＡＣ（Ｍｅｄｉａ  Ａｃｃｅｓｓ  Ｃｏｎｔｒｏｌ）アドレスを備えているので、ＰＣサーバ１は、ＬＡＮに接続された電子機器端末２Ａ，２Ｂ，２ＣのＭＡＣアドレスを登録し、コンテンツのデコードデータをそれら電子機器端末２Ａ，２Ｂ，２Ｃに送り出すときには、それら電子機器端末２Ａ，２Ｂ，２Ｃが、ＰＣサーバ１に登録された端末であるかどうかを確認してからデータ送出を行なうようにする。